(57)【要約】【課題】  楽器の種類が何であってもその楽器の一部にホールド性良く取り付けて調律を行うことができる調律器を提供する。【解決手段】  握り部１１と締め付け部１２とを有するクリップ１０の握り部１１の一端に調律器本体２０を取り付け可能な調律器用クリップ１０であって、締め付け部１２にピックアップ２が設けられ、調律器本体２０に設けられたマイクロフォン２１に代えて調律を行うことができるように構成され、ピックアップ２が設けられた側の締め付け部１２の先端部の内側には中実の滑り止めラバー３を取り付け、ピックアップ２が設けられていない側の締め付け部１２には中空のラバー４を取り付けたものである。中空部は貫通孔５で形成してもよく、また密封された部屋として構成しても良い。密封部屋とした場合には、中に液状の緩衝剤を封入して使用することもできる。【選択図】      図１
2005284035.tif 000002
【特許請求の範囲】
【請求項１】
握り部の一方の端部に調律器を取り付けるためのコネクタを備え、挟み付け部の一方の先端部に振動検出素子が取り付けられた調律器用クリップにおいて、
前記振動検出素子が取り付けられた側の前記挟み付け部のアーム先端部の内側には、中実の滑り止めラバーを取り付けると共に、前記挟み付け部の他方のアーム先端部の内側には、中空の滑り止めラバーを取り付けたことを特徴とする調律器用クリップ。
【請求項２】
前記中空の滑り止めラバーは、前記アームの先端部の幅方向に突設された第１の壁部と、この第１の壁部から前記アームの長手方向に所定距離だけ離れた位置に幅方向に突設された第２の壁部と、これら第１と第２の壁部にまたがる方向に設けられた天井部とを備え、これら第１と第２の壁部及び天井部は一体成形で形成されていることを特徴とする請求項１に記載の調律器用クリップ。
【請求項３】
前記第１と第２の壁部は硬質ラバーで形成され、前記天井部は軟質ラバーで形成されていることを特徴とする請求項２に記載の調律器用クリップ。
【請求項４】
前記第１と第２の壁部及び天井部とで囲まれる中空部は、前記アームの幅方向の端部において２つの側壁によって封止されており、この側壁は前記第１と第２の壁部及び天井部と共に一体成形で形成されていることを特徴とする請求項２に記載の調律器用クリップ。
【請求項５】
前記第１と第２の壁部は硬質ラバーで形成され、前記天井部と前記側壁は軟質ラバーで形成されていることを特徴とする請求項４に記載の調律器用クリップ。
【請求項６】
前記中空部は、オリフィスによって外部と連通していることを特徴とする請求項４又は５に記載の調律器用クリップ。
【請求項７】
前記中空部の中には、液状の緩衝材が封入されていることを特徴とする請求項４又は５に記載の調律器用クリップ。
【請求項８】
前記中空の滑り止めラバーには、前記中空の滑り止めラバーの変形時に前記中空部の中に封入された液状の緩衝材を受け入れる予備室が設けられていることを特徴とする請求項７に記載の調律器用クリップ。
【発明の詳細な説明】
【技術分野】
【０００１】
本発明は各種楽器の調律を行う調律器を楽器に取り付けるための調律器用クリップに関し、特に、調律器本体をクリップの握り部（グリップ部）の一方の端部に取り付け、各種の楽器の一部に取り付けるクリップの挟み付け部（クランプ部）の一方には、楽器の振動を検出してこれを調律器本体に伝えるためのピックアップが設けられた調律器用クリップに関する。
【背景技術】
【０００２】
一般に、楽器は色々な音程の音を生成することができるが、温度による楽器本体の膨張や収縮、或いは振動や経年変化等による楽器の変形等により、演奏時に正しい音程からずれた音を生成することがある。これを防止するために、各種楽器は定期的に、或いは演奏前に、生成音が正しい音程に調律されているかどうかの検査を行い、正しい音程になっていない場合にはこれを修正する調律作業が必要である。
【０００３】
そこで、従来から楽器の調律を簡単に行うことができる携帯型の調律器が実用化されている。このような調律器はマイクロフォンを備えており、楽器の近傍に置いてマイクロフォンで集音した楽器が生成する音の周波数を検出して調律を行うようになっている。
【０００４】
ところが、このような据え置き型の調律器は、楽器の近傍に調律器を置くためのスペースを必要とするので使いづらい。そこで近年、調律器をクリップによって楽器の一部に取り付けることができるタイプの調律器が提案されている（例えば、特許文献１を参照）。
【０００５】
楽器の一部にクリップによって取り付けるタイプの調律器は一般に、クリップと調律器本体とから構成され、クリップの握り部の一方の端部に調律器本体が取り付けられ、クリップの挟み付け部が楽器の一部に取り付けられて使用される。そして、このタイプの調律器は楽器の一部に直接取り付けるので、クリップの挟み付け部の一方のアームに振動を検出するピックアップが設けられ、調律器本体に設けられているマイクロフォンからの集音に加えて、楽器からの振動をこのピックアップで検出することにより、楽器が発生する周波数を検出して調律を行うことができるようになっているものもある。
【０００６】
また、前述のような調律器用のクリップの挟み付け部には一般に、このクリップが色々な楽器にしっかりとホールドされるための滑り止めラバーが取り付けられている。この滑り止めラバーは、挟み付け部が楽器の一部に取り付けられた時に変形し、クリップが楽器にしっかりと取り付けられるようにするためのものである。
【０００７】
【特許文献１】特開２００３−２５５９３２号公報
【発明の開示】
【発明が解決しようとする課題】
【０００８】
しかしながら、このような滑り止めラバーを備えた構造の調律器用クリップでは、クリップの締め付け部を楽器の一部に取り付けた場合に、滑り止めラバーの楽器との接触部が点、又は線となるので、クリップの楽器への取り付け後に、調律器本体を楽器に安定してホールドすることが困難であるという問題があった。特に、クリップを取り付ける楽器の部位は、管楽器では円筒状、弦楽器では板状であることが多いので、滑り止めラバーの形状を管楽器か弦楽器の何れか一方に適する形状とすると、他方の楽器に取り付けた場合にクリップのホールド性が弱くなるという課題があった。
【０００９】
そこで、本発明の目的は、調律器本体を取り付けるための調律器用クリップにおいて、クリップを取り付ける楽器の部位が円筒状であろうが板状であろうが、取付部位の形状に係わらず、調律器本体をしっかりと楽器に固定することができる調律器用クリップを提供することである。
【課題を解決するための手段】
【００１０】
前記目的を達成する本発明の調律器用クリップの第１の形態は、握り部の一方の端部に調律器を取り付けるためのコネクタを備え、挟み付け部の一方の先端部に振動検出素子が取り付けられた調律器用クリップにおいて、振動検出素子が取り付けられた側の挟み付け部のアーム先端部の内側には、中実の滑り止めラバーを取り付けると共に、挟み付け部の他方のアーム先端部の内側には、中空の滑り止めラバーを取り付けたことを特徴としている。
【００１１】
前記目的を達成する本発明の調律器用クリップの第２の形態は、第１の形態の中空の滑り止めラバーが、アームの先端部の幅方向に突設された第１の壁部と、この第１の壁部からアームの長手方向に所定距離だけ離れた位置に幅方向に突設された第２の壁部と、これら第１と第２の壁部にまたがる方向に設けられた天井部とを備え、これら第１と第２の壁部及び天井部は一体成形で形成されていることを特徴としている。
【００１２】
前記目的を達成する本発明の調律器用クリップの第３の形態は、第２の形態の第１と第２の壁部が硬質ラバーで形成され、天井部が軟質ラバーで形成されていることを特徴としている。
【００１３】
前記目的を達成する本発明の調律器用クリップの第４の形態は、第２の形態の第１と第２の壁部及び天井部とで囲まれる中空部が、アームの幅方向の端部において２つの側壁によって封止されており、この側壁は第１と第２の壁部及び天井部と共に一体成形で形成されていることしている。
【００１４】
前記目的を達成する本発明の調律器用クリップの第５の形態は、第４の形態の第１と第２の壁部が硬質ラバーで形成され、天井部と側壁は軟質ラバーで形成されていることを特徴としている。
【００１５】
前記目的を達成する本発明の調律器用クリップの第６の形態は、第４又は第５の形態の中空部が、オリフィスによって外部と連通していることを特徴としている。
【００１６】
前記目的を達成する本発明の調律器用クリップの第７の形態は、第４又は第５の形態の中空部の中には、液状の緩衝材が封入されていることを特徴としている。
【００１７】
前記目的を達成する本発明の調律器の第８の形態は、第７の形態の中空の滑り止めラバーに、中空の滑り止めラバーの変形時に中空部の中に封入された液状の緩衝材を受け入れる予備室が設けられていることを特徴としている。
【発明の効果】
【００１８】
本発明の調律器用クリップによれば、挟み付け部の振動検出素子が設けられていない側のアームの先端部に設ける滑り止めラバーを中空形状としたことにより、楽器の種類にかかわらず、クリップをしっかりと楽器の一部に取り付けることができるようになり、調律器の位置が安定して調律を行い易いという効果がある。
【発明を実施するための最良の形態】
【００１９】
以下図面を用いて本発明の実施の形態を、具体的な実機例に基づいて詳細に説明する。
【００２０】
図１（ａ）は、本発明の一実施例の調律器用クリップ１０に調律器本体２０を取り付ける状態を示すものであり、（ｂ）は（ａ）に示した調律器用クリップ１０に調律器本体２０が取り付けられて調律器１となった状態を示すものである。また、（ｃ）は（ａ）の調律器１を側面から見たものである。
【００２１】
これらの図に示されるように、本発明の調律器用クリップ１０は、握り部１１と挟み付け部１２とをそれぞれ備えた固定アーム１７と可動アーム１９を備えており、可動アーム１９の握り部１１は固定アーム１７の握り部１１に突設されたブラケット１８にピボット１４により回転可能に取り付けられている。そして、このブラケット１８には後述するばねが設けられており、このばねは挟み付け部１２の先端部が合わさる方向に固定アーム１７と可動アーム１９を付勢している。
【００２２】
固定アーム１７の握り部１１の端部には調律器本体２０を取り付けるための雄コネクタ１３を備えた回転機構１６が設けられている。この回転機構１６により、（ｃ）に矢印で示すように、クリップ１０に取り付けられた調律器本体２０は、前後方向に回転、及び左右方向に回転させることができる。また、固定アーム１７の挟み付け部１２の外側の端部には振動を検出するための振動検出素子を使用した振動検出センサであるピックアップ２が取り付けられている。このピックアップ２としては、例えば圧電素子（ＰＺＴ）を使用することができる。このピックアップ２の出力信号線は固定アーム１７の内部を通り、コネクタ１３の両側に露出する端子（図示せず）に接続されている。
【００２３】
調律器本体２０は、この実施例では正面視略楕円形をしており、中央部に表示器２２があり、調律器本体２０の一方の端部の近傍に集音用のマイクロフォン２１が設けられている。また、調律器本体２０の上部には、電源スイッチ２６や調律時のキャリブレーションを行うキャリブレーションスイッチ２７が設けられている。また、調律器本体２０の裏面側には、クリップ１０に設けられた雄コネクタ１３に係合する雌コネクタ２３が設けられている。雌コネクタ２３には雄コネクタ１３の両側に設けられた端子に接続する端子があり、調律器本体２０がクリップ１０に結合した（ｂ），（ｃ）の状態では、ピックアップ２からの出力信号が調律器本体１０に入力されるようになっている。なお、図示はしないが、調律器本体２０の裏面には、調律を行う時に楽器が発生する周波数の入力を、内蔵マイクロフォン２１で行うかクリップ１０に設けられたピックアップ２で行うかの切換スイッチが設けられている。
【００２４】
図１（ｄ），（ｅ）及び図２（ａ）はクリップ１０の挟み付け部１２に設けられた滑り止めラバー３，４の詳細な構成を示すものである。なお、図２（ａ）には図１（ｃ）に示した調律器１の調律器本体２０を、回転機構１６によって９０度回転させた状態を示している。
【００２５】
滑り止めラバー３は、固定アーム１７の外側の先端部に取り付けられたピックアップ２の裏面側に設けられている。滑り止めラバー３は、固定アーム１７の内側の面に突出して設けられており、その頂面には、所定距離離れた２つの平面部３Ａ，３Ｂと、これら平面部３Ａ，３Ｂの間に設けられた湾曲凹部３Ｃがある。また、滑り止めラバー３のピボット１４側の基部は延長されて延長部３Ｄとなっており、滑り止めラバー３の基部とこの延長部３Ｄは接着剤等で強固に固定アーム１７に固着されている。滑り止めラバー３は中実であり、全体が硬質のラバーで均一に形成されていて、変形し難い構造となっている。これは、振動を検出するピックアップ２に楽器からの振動が伝わり易くするためである。１５はブラケット１８のピボット１４に巻き付けられた付勢用のばねである。
【００２６】
一方、滑り止めラバー４は、可動アーム１９の内側の先端部に、固定アーム１７側の滑り止めラバー３に対向して設けられている。滑り止めラバー４は、可動アーム１９の先端部の幅方向に突設された第１の壁部４Ａと、この第１の壁部４Ａからアームの長手方向に所定距離だけ離れた位置に幅方向に突設された第２の壁部４Ｂと、これら第１と第２の壁部４Ａ，４Ｂにまたがる方向に設けられた天井部４Ｃ、第１と第２の壁部４Ａ，４Ｂの基部を接続する底部４Ｄ、及びこの底部４Ｄが滑り止めラバー４のピボット１４側に延長された延長部４Ｅとから構成されている。従って、第１と第２の壁部４Ａ，４Ｂ、底部４Ｄ、及び天井部４Ｃで囲まれた部分には、可動アーム１９の幅方向に貫通孔５が形成されている。底部４Ｄと延長部４Ｅは、接着剤等で強固に可動アーム１９に固着されている。
【００２７】
これら第１と第２の壁部４Ａ，４Ｂ、天井部４Ｃ、底部４Ｄ及び延長部４Ｅは一体成形で形成することができる。この場合、これら第１と第２の壁部４Ａ，４Ｂ、天井部４Ｃ、底部４Ｄ及び延長部４Ｅを同じ材質のラバーで均一に形成することもできるが、少なくとも天井部４Ｃを容易に変形し易い軟質ラバーで形成し、他の部分を変形のし難い硬質ラバーで形成することができる。このようにすれば、滑り止めラバー４は保持強度を保ちつつ、保持する部材の形状に合わせて天井部４Ｃが変形できる。この結果、滑り止めラバー４は後述するように色々な形状の楽器の部位に対応して変形することができる。１５はブラケット１８のピボット１４に巻き付けられた付勢用のばねである。
【００２８】
なお、以上説明したクリップ１０では、滑り止めラバー３，４が設けられている部位とピボット１４の間に延長部３Ｄ，４Ｅで囲まれたスペースが存在するが、このスペースは、滑り止めラバー３，４の間に楽器の一部を挟み付けた場合に、楽器に設けられた突起等を逃げるためのものである。
【００２９】
図２（ｂ）は以上説明した調律器１の内部の基本的な回路構成をブロックで示したものである。調律器本体２０の中には、マイクロフォン２１、調律結果の表示器２２、入力切換スイッチ２４、及び調律処理を行う調律装置２５が設けられている。入力切換スイッチ２４の一方の入力にはマイクロフォン２１が接続されている。また、入力切換スイッチ２４の他方の入力には、クリップ１０の固定アーム１７の先端部に設けられた振動ピックアップ２の出力が、前述のように固定アーム１７の内部と回転機構１６、及び図示しないコネクタを通じて接続されている。そして、入力切換スイッチ２４の切換により、振動ピックアップ２の出力、或いはマイクロフォン２１の出力のいずれか一方の出力が調律装置２５に導かれる。入力切換スイッチ２４は、調律器本体２０の裏面に設けられている。
【００３０】
図３（ａ）から（ｅ）は、前述のように構成された調律器１のクリップ１０を、楽器の色々な部位に取り付けた場合の滑り止めラバー４の機能を説明するものである。
【００３１】
図３（ａ），（ｂ）は、調律器用クリップ１０を楽器の板状部（板厚が１５〜１０ｍｍ程度）３０に取り付けた状態を示すものである。この場合は、滑り止めラバー３はその平面部３Ａ，３Ｂで板状部３０の面を支持し、滑り止めラバー４は第１と第２の壁部４Ａ，４Ｂと天井部４Ｃで板状部３０の面を支持する。天井部４Ｃは変形せず、平面形状を保ったまま板状部３０に面接触してこれを保持する。このため、クリップ１０を板状部３０に取り付けた時の保持力が大きく、調律器本体２０を安定して楽器の板状部３０に装着することができる。
【００３２】
図３（ｃ）から（ｅ）は、調律器用クリップ１０をそれぞれ楽器の小径の管状部（管径が１５ｍｍ程度）３１、中径の管状部（管径が２５ｍｍ程度）３２、及び大径の管状部（管径が３８ｍｍ程度）３３に取り付けた状態を示すものである。これらの場合は、滑り止めラバー３はその湾曲凹部３Ｃで管状部３１、３２、３３を面、又は２本の線で支持し、滑り止めラバー４は第１と第２の壁部４Ａ，４Ｂと天井部４Ｃで板状部３０の曲面を支持する。天井部４Ｃを軟質ラバーで形成しておけば、天井部４Ｃは管状部３１，３２，３３の曲率に応じてその曲面に沿って変形し、管状部３１，３２，３３の外周面に面接触してこれを保持する。このため、クリップ１０を管状部３１，３２，３３に取り付けた時の保持力が大きく、調律器本体２０を安定して楽器の板状部３０に装着することができる。
【００３３】
図４（ａ）から（ｆ）は、本発明の調律器用クリップ１０に調律器本体２０を取り付けた調律器１を、色々な種類の楽器の代表的な楽器に取り付けた場合の取り付け位置を示すものである。（ａ）は調律器１をギター３９に取り付けた例を示すものであり、この場合、クリップ１０はギター３９のヘッド部４０に取り付けられている。（ｂ）は調律器１をバイオリン４１に取り付ける例を示すものであり、この場合、クリップ１０はバイオリン４１の糸蔵部４２に上側から取り付けることができる。（ｃ）は調律器１をクラリネット４３の朝顔部４４の外周に取り付けた例を示すものである。（ｄ）は調律器１をフルート４５のマウスピースの近傍のパイプ部４６に取り付けた例を示すものである。（ｅ）は調律器１をサクソホルン４７のマウスパイプ部４８に取り付けた例を示すものである。また、（ｆ）は調律器１をトロンボーン４９の朝顔部５０の開口部を挟んで取り付けた例を示すものである。
【００３４】
図４では、ギター４０のヘッド部４０、バイオリン４１の糸蔵部４２、及びトランペット４９の朝顔部５０が、図３（ａ），（ｂ）で説明した板状部３０に相当する。また、サクソホルン４７のマウスパイプ部４８が図３（ｃ）で説明した小径管状部３１に相当し、フルート４５のパイプ部４６が図３Ｄで説明した中径管状部３２に相当し、クラリネット４４の朝顔部４４が図３（ｅ）で説明した大径管状部３３に相当する。
【００３５】
図５（ａ）は本発明の調律器用クリップ１０における滑り止めラバー４の第１の変形例を示すものである。これまでに説明した滑り止めラバー４には、図１（ｅ）に示されるように、第１と第２の壁部４Ａ，４Ｂ、天井部４Ｃ、及び底部４Ｄで囲まれた貫通孔５が設けられていた。一方、第１の変形例では、貫通孔５の両端部に貫通孔５を塞ぐ側壁部４Ｆが設けられており、貫通孔５が空気部屋６となっている。側壁部４Ｆは軟質ラバーで構成すれば良い。空気部屋６は密封空間としても良いが、この実施例では、空気部屋６と外部とを連通するオリフィス７が、滑り止めラバー４の底部４Ｄと可動アーム１９を貫通して設けられている。このオリフィス７により、空気部屋６の内部は滑り止めラバー４が変形しても常に大気圧に保たれる。
【００３６】
図５（ｂ）は本発明の調律器用クリップ１０における滑り止めラバー４の第２の変形例を示すものである。第２の変形例が第１の変形例と異なる点は、空気部屋６の体積がピボット１４がある側に延長されている点である。空気部屋６の体積を大きくすれば、オリフィス７を設ける必要性は減るが、この実施例ではオリフィス７が設けられている。
【００３７】
図５（ｃ），（ｄ）は本発明の調律器用クリップ１０における滑り止めラバー４の第３の変形例を示すものである。第３の変形例が第１の変形例と異なる点は、空気部屋６の代わりに液体部屋８が設けられている点である。液体部屋８の中には液状の緩衝材Ｌが封入されている。滑り止めラバー４の内部に密封された部屋を形成して空気を充填した場合は、滑り止めラバー４の変形時に空気は圧縮されて体積が収縮するが、液体は圧縮されてもその体積が収縮しない。また、液状の緩衝材Ｌが外部に漏れても困る。そこで第３の実施例では、滑り止めラバー４の延長部４Ｅの上に、液体部屋８に連通する予備室９が軟質ラバーによって形成されている。この予備室９は、図５（ｄ）に示すように、クリップ１０が楽器の小径管状部３１に取り付けられて滑り止めラバー４が変形した場合、液体部屋８から排出された液状の緩衝材Ｌを受け入れて膨張する。そして、クリップ１０が楽器の小径管状部３１から外されると、予備室９はラバーの収縮力で縮み、予備室９内の液状の緩衝材Ｌは液体部屋８に戻ることになる。
【００３８】
図６（ａ），（ｂ）は、図５（ｃ），（ｄ）で説明した本発明の調律器用クリップ１０における滑り止めラバー４の第３の変形例の別の実施例を示すものである。この実施例が第３の変形例と異なる点は、液体部屋８に隣接する予備室９の代わりに、滑り止めラバー４の側壁部４Ｆを更に柔軟な軟質ラバーによって形成して変形可能とした点である。この実施例では、図６（ａ）に示すように、クリップ１０が楽器の小径管状部３１に取り付けられて滑り止めラバー４が変形した場合、図６（ｂ）に示すように、滑り止めラバー４の側壁部４Ｆが矢印で示す方向に変形して、液体部屋８から押し出された液状の緩衝材Ｌを受け入れて膨張する。そして、クリップ１０が楽器の小径管状部３１から外されると、側壁部４Ｆは第１と第２の壁部４Ａ，４Ｂ、及び天井部４Ｃの復元力に加えて自身の復元力で元の形状に戻ることになる。
【図面の簡単な説明】
【００３９】
【図１】（ａ）は本発明の一実施例の調律器用クリップに調律器を取り付ける状態を説明する正面図、（ｂ）は（ａ）に示した本発明の調律器用クリップに調律器が取り付けられた状態の正面図、（ｃ）は（ａ）の側面図、（ｄ）は（ｃ）のピックアップ側のラバーの形状を示す部分拡大斜視図、（ｅ）は（ｃ）のピックアップがない側のラバーの形状を示す部分拡大斜視図である。
【図２】（ａ）は本発明の一実施例の調律器用クリップの構造を説明するためのクリップの正面図、（ｂ）は（ａ）に示した調律器の内部の回路構成をブロックで示したブロック構成図である。
【図３】（ａ）は本発明の一実施例の調律器用クリップを楽器の板状部分に取り付けた状態を示す側面図、（ｂ）は（ａ）の正面図、（ｃ）は本発明の一実施例の調律器用クリップを楽器の管径が細い管状部分に取り付けた状態を示す側面図、（ｄ）は本発明の一実施例の調律器用クリップを楽器の管径が中程度の管状部分に取り付けた状態を示す側面図、（ｃ）は本発明の一実施例の調律器用クリップを楽器の管径が太い管状部分に取り付けた状態を示す側面図である。
【図４】（ａ）は本発明の調律器用クリップのギターにおける取付場所を示す図、（ｂ）は本発明の調律器用クリップのバイオリンにおける取付場所を示す図、（ｃ）は本発明の調律器用クリップのクラリネットにおける取付場所を示す図、（ｄ）は本発明の調律器用クリップのフルートにおける取付場所を示す図、（ｅ）は本発明の調律器用クリップのサクソホルンにおける取付場所を示す図、（ｆ）は本発明の調律器用クリップのトランペットにおける取付場所を示す図である。
【図５】（ａ）は本発明の調律器用クリップのラバーの中空部を側壁で覆って封止すると共に外部とのオリフィスを設けた実施例を示す部分拡大斜視図、（ｂ）は（ａ）のラバーの変形例を示す調律器と調律器用クリップの側面図、（ｃ）は本発明の調律器用クリップのラバーの中空部に液状の緩衝材を封入した実施例を示す調律器と調律器用クリップの側面図、（ｄ）は（ｃ）の調律器用クリップを細い管に取り付けた時のラバーの変形状態を示す調律器用クリップの側面図である。
【図６】（ａ）はラバーの中空部に液状の緩衝材を封入した本発明の調律器用クリップを楽器の管径が細い管状部分に取り付けた状態を示す側面図、（ｂ）は（ａ）の状態におけるラバーの変形状態の別の例を示す部分平面図である。
【符号の説明】
【００４０】
１…調律器
２…ピックアップ
３…滑り止めラバー
４…滑り止めラバー
５…貫通孔
１０…クリップ
１１…握り部
１２…挟み付け部
１７…固定アーム
１９…可動アーム
２０…調律器本体
２１…マイクロフォン
２４…切換スイッチ
【図１】
2005284035.tif 000003
【図２】
2005284035.tif 000004
【図３】
2005284035.tif 000005
【図４】
2005284035.tif 000006
【図５】
2005284035.tif 000007
【図６】
2005284035.tif 000008